(57)【要約】【課題】表示部以外への光漏れを抑制し、表示画像の画質の低下を抑制するＥＬ表示装置を提供することを目的とする。【解決手段】アレイ基板１００と、アレイ基板１００と対向して配置された封止基板２００と、アレイ基板１００上にマトリクス状に配置された複数の表示画素ＰＸからなる発光部ＥＭと、を有するＥＬ表示装置であって、発光部ＥＭを囲むように配置されているとともに、アレイ基板１００と封止基板２００とを貼り合わせるシール材３００と、を有し、封止基板２００は、発光部ＥＭに対向するように配置された凹部４００を有し、凹部４００の端部４００Ａには遮光材料を含む乾燥剤５００が配置されているＥＬ表示装置。【選択図】      図２
2008288034.tif 000002
【特許請求の範囲】
【請求項１】
アレイ基板と、前記アレイ基板と対向して配置された封止基板と、前記アレイ基板上にマトリクス状に配置された複数の表示画素からなる発光部と、を有するＥＬ表示装置であって、
前記発光部を囲むように配置されているとともに、前記アレイ基板と前記封止基板とを貼り合わせるシール材と、を有し、
前記封止基板は、前記発光部に対向するように配置された凹部を有し、
前記凹部の端部には遮光材料を含む乾燥剤が配置されているＥＬ表示装置。
【請求項２】
前記乾燥剤は、黒色の顔料を含んでいる請求項１記載のＥＬ表示装置。
【請求項３】
前記乾燥剤は前記発光部を囲むように配置されている請求項１記載のＥＬ表示装置。
【請求項４】
前記シール材は、遮光材料を含んでいる請求項１記載のＥＬ表示装置。
【請求項５】
前記凹部の端部は、前記乾燥剤と、前記シール材とに覆われている請求項４記載のＥＬ表示装置。
【請求項６】
前記シール材は、黒色の顔料を含んでいる請求項４記載のＥＬ表示装置。
【発明の詳細な説明】
【技術分野】
【０００１】
本発明は、有機ＥＬ表示装置に関し、特にアクティブマトリクス型の有機ＥＬ表示装置に関する。
【背景技術】
【０００２】
液晶表示装置等のディスプレイに比べて、高速応答及び広視野角化が可能な自己発光型のディスプレイとしてエレクトロルミネセンス（ＥＬ：electroluminescence）表示装置の開発が盛んに行われている。有機ＥＬ表示装置は、ＥＬ表示パネルとＥＬ表示パネルを駆動する駆動回路とから構成される。
【０００３】
ＥＬ表示パネルは、ガラス等の支持基板上に、表示画素をマトリクス状に配置して構成される表示部と、表示部を囲む外周部とを有するアレイ基板と、アレイ基板と対向して配置される封止基板とを備えている。
【０００４】
表示画素は、第１電極と、第１電極と対向して配置される第２電極と、これら電極間に配置された有機発光層を有している。ＥＬ表示装置の表示画素は水分により劣化しやすいため、表示画素が空気に曝されると表示画素の劣化の原因となる。そのため、表示画素が空気に曝されないよう密封する必要がある。
【０００５】
アレイ基板と封止基板とを樹脂接着剤にて密封するときには、樹脂をわずかに浸透する水分によって表示画素が水分に曝されるため、所定の量の乾燥剤を密封空間内部に配置して、樹脂から浸透した水分を完全に除去できるようにする。
【０００６】
また、発光有機層を収納するための凹部が形成された封止基板と、アレイ基板と、により、水分や酸素に対して不安定な表示画素を気密封止することにより、高い耐久性を得ることができる表示装置が提案されている（例えば、特許文献１参照）。
【特許文献１】特開２００１−３５６５９号公報
【発明の開示】
【発明が解決しようとする課題】
【０００７】
上面発光型の有機ＥＬ表示装置において、上記のように凹部を設けた場合、凹部の端部に生じる段差で、表示画素から出射された光が散乱され、表示部の外側に光が漏れて見える場合があった。このことによって、表示画像の画質を低下する場合があった。
【０００８】
また、空間内部に塗布した乾燥剤によっても同様に、表示部から出射された光が散乱されて、表示画像の画質を低下させる場合があった。
【０００９】
本発明は上記の問題点に鑑みて成されたものであって、表示部以外への光漏れを抑制し、表示画像の画質の低下を抑制するＥＬ表示装置を提供することを目的とする。
【課題を解決するための手段】
【００１０】
本発明の態様によるＥＬ表示装置は、アレイ基板と、前記アレイ基板と対向して配置された封止基板と、前記アレイ基板上にマトリクス状に配置された複数の表示画素からなる発光部と、を有するＥＬ表示装置であって、前記発光部を囲むように配置されているとともに、前記アレイ基板と前記封止基板とを貼り合わせるシール材と、を有し、前記封止基板は、前記発光部に対向するように配置された凹部を有し、前記凹部の端部には遮光材料を含む乾燥剤が配置されている。
【発明の効果】
【００１１】
この発明によれば、表示部以外への光漏れを抑制し、表示画像の画質の低下を抑制するＥＬ表示装置を提供することができる。
【発明を実施するための最良の形態】
【００１２】
以下に、本発明の第１実施形態に係るＥＬ表示装置について図面を参照して説明する。本実施形態に係るＥＬ表示装置は、上面発光方式のＥＬ表示装置であって、図１および図２に示すように、アレイ基板１００と、アレイ基板１００と対向して配置された封止基板２００とを有している。ＥＬ表示装置は、略矩形状の表示部ＤＹＰを有している。表示部ＤＹＰは、その周囲を外周部ＰＡに囲まれている。
【００１３】
アレイ基板１００は、支持基板としてガラス等の絶縁性基板を有している。アレイ基板１００は、表示部ＤＹＰにおいて、マトリクス状に配置された複数の表示画素ＰＸからなる発光部ＥＭを有している。
【００１４】
発光部ＥＭには、表示画素ＰＸの配列する行に沿って配置された走査線Ｙ（Ｙ１、Ｙ２、・・・）と、表示画素ＰＸの配列する列に沿って配置された信号線Ｘ（Ｘ１、Ｘ２、・・・）とが配置されている。
【００１５】
外周部ＰＡにおいて、アレイ基板１００は外部駆動回路からの信号に基づいて各表示画素を駆動する走査線駆動回路（図示せず）、および信号線駆動回路（図示せず）等を有する駆動回路部１０１を有している。
【００１６】
また外周部ＰＡには、コントローラ等の外部回路を接続する接続部１０２を有している。駆動回路部１０１と表示部ＤＹＰとは、駆動信号及び電源信号等を供給する各種配線Ｗが延びている。
【００１７】
走査線駆動回路は、配線Ｗを介して走査線Ｙに接続し、表示画素ＰＸを行毎に順次駆動する。信号線駆動回路は、各種配線Ｗを介して信号線Ｘに接続し、走査線Ｙによって駆動された表示画素ＰＸに画像信号を送信する。
【００１８】
さらに、アレイ基板１００の発光部ＥＭには、走査線Ｙと略平行に延びる電源ラインＰが配置されている。表示画素ＰＸは、走査線Ｙにそのゲート電極において接続された第1スイッチ１０と、ゲート電極が第1スイッチ１０のドレイン電極に接続されている第２スイッチ２０と、を有している。
【００１９】
第２スイッチ２０のソース電極は、電源ラインＰに接続され、第２スイッチ２０のドレイン電極は、発光素子４０に接続されている。第２スイッチ２０のゲート電極およびソース電極間はキャパシタ３０によって結合されている。
【００２０】
表示画素ＰＸは、自発光素子である発光素子４０（Ｒ、Ｇ、Ｂ）のいずれかを有する表示画素ＰＸＲ、ＰＸＧ、ＰＸＢを有している。すなわち、赤色画素ＰＸＲは、主に赤色波長に対応した光を出射する有機ＥＬ素子４０Ｒを備えている。緑色画素ＰＸＧは、主に緑色波長に対応した光を出射する有機ＥＬ素子４０Ｇを備えている。青色画素ＰＸＢは、主に青色波長に対応した光を出射する有機ＥＬ素子４０Ｂを備えている。
【００２１】
封止基板２００は、表示部ＤＹＰにおいて、アレイ基板１００と対向するように配置されている。アレイ基板１００と封止基板２００とは、表示部ＤＹＰを囲むように配置されたシール材ＳＬによって一体となっている。本実施形態に係るＥＬ表示装置では、シール材ＳＬとして樹脂材料からなる樹脂シールを用いている。
【００２２】
封止基板２００は、樹脂シール３００に囲まれた領域に、アレイ基板１００の発光部ＥＭと対向するように配置された凹部４００を有している。本実施形態に係るＥＬ表示装置では、凹部４００は略矩形状であって、凹部４００の端部４００Ａには、乾燥剤５００が充填されている。すなわち、凹部４００の端部には段差が生じ、その段差に沿って、表示部ＤＹＰを囲むように乾燥剤５００が配置されている。
【００２３】
乾燥剤５００として、例えば酸化バリウム（ＢａＯ）、酸化カルシウム等を用いている。さらに、本実施形態にかかるＥＬ表示装置では、乾燥剤５００に例えば黒色の顔料が含まれている。
【００２４】
ここで、本実施形態にかかるＥＬ表示装置では、乾燥剤５００には黒色の顔料が含まれていたが、乾燥剤５００は遮光性を有していればよく、黒色以外の顔料が含まれていても良い。また、その他の遮光性を有する材料を用いて形成されていても良い。
【００２５】
次に、本実施形態に係るＥＬ表示装置の製造方法について以下に説明する。まず、アレイ基板１００を形成する。すなわち、支持基板上に複数の表示画素ＰＸを形成する。
【００２６】
最初に、透明電極を、例えば透明な陽極電極材料であるＩＴＯ等で形成した後、発光素子４０以外において短絡するのを防止するために絶縁性材料でリブ層を形成する。リブ層によって仕切られた間の透明電極上に、例えば正孔輸送層、発光層、電子輸送層、電子注入層等からなる有機層ＥＬを形成する。
【００２７】
すなわち、アレイ基板１００を抵抗加熱方式の有機ＥＬ成膜装置にセットし、有機ＥＬ材料として、例えば、正孔輸送層となるα−ＮＰＤを２００ｎｍ、発光層兼、電子輸送層となるＡｌｑ３を５０ｎｍ、電子注入層兼、ＩＴＯダメージバッファ層となるＭｇＡｇを２ｎｍ順次成膜した。さらに、これらの有機層上には、プラズマコーティング法を用いてＩＴＯ成膜を施した。
【００２８】
上記の工程において、必要に応じて、複数の導電層を成膜およびパターンニングし、表示画素ＰＸの第１および第２スイッチ１０、２０、外周部ＰＡに配置された駆動回路部１０１、および各種配線Ｗを形成する。
【００２９】
次に、封止基板２００を形成する。すなわち、封止基板となる透明ガラス基板を用意し、発光部ＥＭと対向する部分に凹部４００を形成する。本実施形態に係るＥＬ表示装置では、凹部４００の深さは例えば０．１ｍｍである。凹部４００を形成する方法としては、例えばサンドブラスト法やウエットエッチング法、ドライエッチング法等を用いる。
【００３０】
続いて、凹部４００の端部４００Ａに生じる段差に乾燥剤５００を塗布する。本実施形態にかかるＥＬ表示装置の場合、乾燥剤５００には黒色の顔料が含まれている。  続いて、凹部４００の周囲を囲むように、封止基板２００上に樹脂シール３００を配置し、アレイ基板１００と封止基板２００との位置を合わせて貼りあわせる。すなわち、アレイ基板１００と封止基板２００とは、図１および図２に示すように、アレイ基板１００と封止基板２００との間にギャップを形成するとともに表示部ＤＹＰおよび凹部４００を囲むように配置された樹脂シール３００によって貼り合わせられる。
【００３１】
上記のように、封止基板２００の凹部４００の端部４００Ａに生じる段差に、遮光性を有する乾燥剤５００を配置すると、表示画素ＰＸから発光された光は、発光部ＥＭの周囲と対向するように配置された乾燥剤５００によって遮光され。そのため、発行部ＥＭから発光された光は、端部４００Ａで乾燥剤５００によって散乱される。その結果、光が表示部ＤＹＰ以外へ漏れることを抑制することができる。
【００３２】
したがって、本実施形態にかかるＥＬ表示装置によれば、表示部ＤＹＰ以外への光漏れを抑制するとともに、表示画像の画質の低下を抑制するＥＬ表示装置を提供することができる。
【００３３】
次に本発明の第２実施形態にかかるＥＬ表示装置について、図面を参照して以下に説明する。なお、上述の第１実施形態に係るＥＬ表示装置と同様の構成については、同一の符号を付して説明を省略する。
【００３４】
本実施形態にかかるＥＬ表示装置は、上述の第１実施形態にかかるＥＬ表示装置と同様に、上面発光型のＥＬ表示装置である。ＥＬ表示基板は、アレイ基板１００と封止基板２００とを有している。アレイ基板１００と封止基板２００とはシール材３００によって一体となっている。
【００３５】
また、第１実施形態に係るＥＬ表示装置と同様に、封止基板２００は凹部４００を有している。凹部４００の端部４００Ａに生じる段差部分には、表示部ＤＹＰを囲むように乾燥剤５００が配置されている。本実施形態においても、乾燥剤５００には黒色の顔料が含まれている。
【００３６】
本実施形態に係るＥＬ表示装置では、シール材３００は樹脂シールであって、黒色の顔料を含んでいる。さらに、シール材３００は、凹部４００の端部４００Ａと対向する位置まで延びて配置されている。すなわち、本実施形態に係るＥＬ表示装置では、凹部４００の端部４００Ａは、乾燥剤５００だけでなくシール材３００によっても覆われている。
【００３７】
ここで、本実施形態にかかるＥＬ表示装置では、シール材３００には黒色の顔料が含まれていたが、シール材３００は遮光性を有していればよく、黒色以外の顔料が含まれていても良い。また、その他の遮光性を有する材料により形成されていても良い。
【００３８】
したがって、本実施形態に係るＥＬ表示装置によれば、第１実施形態にかかるＥＬ表示装置と同様の効果を得ることができるとともに、第１実施形態にかかるＥＬ表示装置よりも、凹部４００の端部に生じる段差部分における光の散乱をより効果的に抑制することが可能となる。
【００３９】
すなわち、本実施形態に係るＥＬ表示装置によれば、第１実施形態に係るＥＬ表示装置よりも効果的に表示部以外への光漏れを抑制し、表示画像の画質の低下を抑制するＥＬ表示装置を提供することができる。
【００４０】
なお、この発明は、上記実施形態そのままに限定されるものではなく、実施段階ではその要旨を逸脱しない範囲で構成要素を変形して具体化できる。例えば、本発明は表示期間と非表示期間とを有する表示装置であれば、液晶表示装置以外でも適用することができる。
【００４１】
また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００４２】
【図１】本発明の第１実施形態に係るＥＬ表示装置の概略的な構成の一例を示す図。
【図２】図１に示すＥＬ表示装置の線Ａ−Ａ´における断面の一例を概略的に示す図。
【図３】本発明の第２実施形態に係るＥＬ表示装置の概略的な構成の一例を示す図。
【図４】図３に示すＥＬ表示装置の線Ｂ−Ｂ´における断面の一例を概略的に示す図。
【符号の説明】
【００４３】
１００・・・アレイ基板、２００・・・封止基板、ＰＸ・・・表示画素、ＥＭ・・・発光部、３００・・・シール材、４００・・・凹部、４００Ａ・・・端部、５００・・・乾燥剤
【図１】
2008288034.tif 000003
【図２】
2008288034.tif 000004
【図３】
2008288034.tif 000005
【図４】
2008288034.tif 000006